(57)【要約】【課題】キーボードからの入力時にモニタ４筐体に取付けて原稿５を掲示する原稿ホルダーとして、▲１▼場所を取らい。▲２▼予め複数枚の原稿保持状態から入力済みの１枚づつが抜取れる。▲３▼モニタの左右何れにも配置可能。▲４▼原稿着脱がし易く見易い。▲５▼構造が簡単等の条件を満たす原稿ホルダーが強く要望されている。【解決手段】本発明は、原稿の背面支持部材８を備えた裏面ブラケット７と該裏面ブラケット７に対向配置した表面パネル６の双方を端部で合体し、該対向端内部に弾力を備えて加工した原稿挟持部材を設けて構成される。そして、背面支持部材８と表面パネル６の対向開口部の挿入口１２から挿入した原稿端部が前記裏面ブラケット７と表面パネル６の曲面ガイド部８ａ、６ａで曲面状とされ、該曲面状に挟持された原稿が背面支持部材８で支持される構成により課題解決を図った縦型原稿ホルダーである。【選択図】    図２
2004248976.tif 000002
【特許請求の範囲】
【請求項１】
縦方向に配置した裏面ブラケット７と表面パネル６とを備えて双方を一端部で合体構成したことと、前記裏面ブラケット７の他端部に所定の傾斜角度で横方向に伸びた原稿５の背面支持部材８を具備したことと、表面パネル６と裏面ブラケット７の対向合体端近傍に原稿５の挟持部材９を配設したこととにより構成され、表面パネル６と裏面ブラケット７の開口した挿入口１２から挿入した原稿挟持端部が曲面状に挟持されることを特徴とする原稿ホルダー。
【請求項２】
縦方向に配置した裏面ブラケット７と表面パネル６とを備えて双方を一端部で合体構成したことと、前記裏面ブラケット７に曲面ガイド部８ａを有すると共に該曲面ガイド部８ａから所定の傾斜角度で横方向に伸びた原稿５の背面支持部材８を具備したことと、表面パネル６の他端に曲面ガイド部６ａを有していることと、前記表面パネル６と裏面ブラケット７の対向合体端近傍に挟持部材９を配設したこととにより構成され、表面パネル６と裏面ブラケット７の開口した挿入口１２から挿入した原稿端部が、前記曲面ガイド部８ａ及び曲面ガイド部６ａとで曲面状に挟持されることを特徴とする原稿ホルダー。
【請求項３】
縦方向に配置した裏面ブラケット７と表面パネル６とを備えて双方を一端部で合体構成したことと、前記裏面ブラケット７に曲面ガイド部８ａを備えると共に該曲面ガイド部８ａから所定の傾斜角度で横方向に伸びた原稿５の背面支持部材８を具備したことと、表面パネル６の他端に曲面ガイド部６ａを有していることと、前記表面パネル６と裏面ブラケット７の対向合体端近傍の裏面ブラケット７側に挟持部材９を配設し該挟持舌片９ａにより、原稿端部を表面パネル６の内面側に押圧挟持し得るようにしたこととにより構成され、表面パネル６と裏面ブラケット７の開口した挿入口１２から挿入した原稿５の挟持端部が、前記曲面ガイド部８ａ及び曲面ガイド部６ａとで曲面状に挟持されることを特徴とする原稿ホルダー。
【請求項４】
縦方向に配置した裏面ブラケット７と表面パネル６とを備えて双方を一端部で合体構成したことと、前記裏面ブラケット７と表面パネル６とが対向した前記合体端部以外の他端部及び上下端が開口状態とされ、且つ、横中央線に対して上下が対称形の縦型構造とした前記請求項１乃至請求項３の何れかの原稿ホルダー。
【請求項５】
縦方向に配置した裏面ブラケット７と表面パネル６とを備えて双方を一端部で合体構成したことと、前記裏面ブラケット７と表面パネル６の対向合体端部近傍に配設された原稿５の挟持部材９の横断面形状が略Ｖ字型をしたゴム素材やゴム素材と同等の弾力を有する素材で加工した前記請求項１乃至請求項４の何れかの原稿ホルダー。
【請求項６】
縦方向に配置した裏面ブラケット７と表面パネル６とを備えて双方を一端部で合体構成したことと、前記表面パネル６に透明性素材を用いると共に該表面パネル６に筆記具保持部２を備えて加工した前記請求項１乃至請求項６の何れかの原稿ホルダー。
【請求項７】
縦方向に配置した裏面ブラケット７と表面パネル６とを備えて双方を一端部で合体構成したことと、前記裏面ブラケット７にクリップ式ホルダー２２を備えた前記請求項１乃至請求項６の何れかの原稿ホルダー。
【発明の詳細な説明】
【０００１】
【発明の属する技術分野】
本発明は、パーソナルコンピュータ（パソコン）やワードプロセッサ（ワープロ）等への入力作業時に文字や図形情報等の原稿をモニタ最近傍の見易い位置に挟持保持する為の原稿ホルダーに関する。
【０００２】
【従来の技術】
従来、用紙をクリップする代表的な保持具としてバネ式、マグネット式等のクリップが用いられている。例えば、パソコン等への入力作業時に原稿書類をモニタ近くに挟持する保持具としては図１１に例示する様なデータスタンド５０等が古くから普及している。
例えば、図１１のデータスタンド５０は図示する様な台座に角度や高さ調整機構を備えたスタンド５１にボード５２が取付けられ、該ボード５２上にクリップ５３やカーソル５４が配置されて原稿５の上端部を挟持する原稿保持具である。しかし、上記データスタンドは設置スペースを占有してしまう欠点に加え、クリップやマグネット式の保持具では複数枚の用紙を挟持保持した状態から表面の１枚目を抜取ると、殆どの場合、残りの用紙も一挙に抜け落ちてしまう大きな欠点がある。
又、原稿保持具をモニタ筐体に備える関連の先行技術としは回動式ものやスライド式の組込み型としたもの（例えば、特許文献１、文献２参照）、更には、原稿ホルダーを原稿保持フレームに取付けて回動機構部を介して折畳式にしたもの（例えば、特許文献３参照）及び携帯に便利なように折畳式にしたコンピューター用データホルダー（例えば、特許文献４参照）が開示されている。
【０００３】
【特許文献１】
特許第２９７２５７８号公報
【特許文献２】
特開平５−２５７５７０号公報
【特許文献３】
特開２００２−１５７０４５号公報
【特許文献４】
実用新案登録第３０４４９７１号公報
【０００４】
【発明が解決しようとする課題】
さて、図１１に引用したボード５２型の従来のデータスタンド５０を初め、前記特許文献に示した原稿保持具の開示技術を含め、従来の原稿挟持方法は原稿５の上端部を横（水平）方向にクリップするものであった。そこで、本発明が解決しょうとする課題を列記すると次の通りである。
（１）図１１に示したデータスタンドは、使用、不使用時に係らず狭い作業机上に設置スペースを占有してしまう欠点がある。
（２）モニタ筐体への組込み型を前提とした前記特許文献の開示技術は、原稿保持具を使用時に開き、不使用時はモニタ筐体側に折畳んだり、回動収納する機構を必要とする結果、装置が複雑化し実施コストが高く操作上も不便である。
（３）従来の原稿挟持具における課題。
前記図１１に例示したデータスタンドのクリップやマグネット式の原稿挟持具は、原稿着脱時に両手を必要とする操作性の不便さもさることながら、予め複数枚の原稿５をクリップ５３した状態から、入力済み後に表の１枚目を抜取ると残りの原稿が抜け落ちる欠点がある。従って，原稿を１枚づつ着脱する煩わしい不便課題があって入力作業の効率低下の原因にもなっていた。
【０００５】
（４）本原稿ホルダー１は、曲面状に挟持した際の原稿端における曲げ剛性が大きくなって原稿用紙が折れ曲り防止される物性の作用効果に着眼し、原稿ホルダーを縦型構造として前記課題を一挙に解消することを狙いとした発明である。
そして、後述するように上下を対称形に構成する場合は、モニタ筐体の左右何れの取付け配置にも対応（図１参照）を可能とし、更に、挟持原稿が任意高さ位置に保持される機能により、座高の低いノート型（本願書では、ノート型パーソナルコンピューターのことを単にノート型と称して説明する）の上蓋２０（図９、図１０参照）への着脱式対応も可能なように工夫したものである。
【０００６】
即ち、本原稿ホルダー１が狙いとする特徴、効果を簡潔にまとめると。
原稿端部を曲面状に挟持する所謂縦型構成を基本としたことで、▲１▼小型化が図れて設置場所が不要。▲２▼原稿を入力画面に最近接した見易い位置に掲示可能。▲３▼モニタの左右配置への対応が可能。▲４▼原稿が任意高さに保持されてノート型への適用が可能。▲４▼原稿の着脱操作が片手で出来て取扱い至便。▲５▼縦型と関連して筆記具の保持が可能。▲６▼構造が簡単で低コスト実施が可能。▲６▼予め複数枚の原稿挟持状態から入力済みの１枚づつの原稿が抜き取れる（図２参照）等、前記従来原稿保持具における課題を一挙に解消し、発明の機能効果を如何なく発揮し入力作業を高効率で行い得る画期的な原稿ホルダーの提供を目的とする。
【０００７】
【課題を解決するための手段】
前記目的を達成する為に本発明では、原稿ホルダー１を縦型として原稿端を曲面状に挟持すると共に原稿の背面を支持する背面支持部材を備え、下記構成からなる。即ち、
本発明の第１は、縦方向に配置した裏面ブラケットと表面パネルとを備えて双方の一端部を合体構成すると共に、前記裏面ブラケットの他端部が所定の傾斜角度で横方向に伸びた原稿の背面支持部材を具備し、更に、表面パネルと裏面ブラケットの対向合体端近傍に原稿の挟持部材が配設され、表面パネルと裏面ブラケットの開口他端から挿入した原稿端部が曲面状に挟持されるように構成した縦型原稿ホルダーである。
【０００８】
本発明の第２は、縦方向に配置した裏面ブラケットと表面パネルとを備えて双方を一端部で合体構成すると共に、前記裏面ブラケットの一部に曲面ガイド部を有して該曲面ガイド部から所定の傾斜角度で横方向に伸びた原稿の背面支持部材を具備する一方、表面パネルの他端に曲面ガイド部を有し、前記表面パネルと裏面ブラケットの対向合体端近傍に原稿の挟持部材を配設して表面パネルと裏面ブラケットの開口他端から挿入した原稿端部が前記双方の曲面ガイド部で曲面状に挟持されるよう構成した原稿ホルダーである。
【０００９】
本発明の第３は、縦方向に配置した裏面ブラケットと表面パネルとを備えて双方を一端部で合体構成すると共に、前記裏面ブラケットに曲面ガイド部を有して該曲面ガイド部から所定の傾斜角度で横方向に伸びた原稿の背面支持部材を具備する一方、表面パネルの他端に曲面ガイド部を有し、前記表面パネルと裏面ブラケットの対向合体端近傍の裏面ブラケット側に挟持部材を配設して該挟持舌片により、原稿端部を表面パネルの内面側に押圧挟持し得るように構成し、表面パネルと裏面ブラケットの開口他端から挿入した原稿端部が前記双方の曲面ガイド部で曲面状に挟持されるよう構成した原稿ホルダーである。
【００１０】
本発明の第４は、縦方向に配置した裏面ブラケットと表面パネルとを備えて双方を一端部で合体構成し、前記裏面ブラケットと表面パネルとが対向した前記合体端部以外の他端部及び上下端が開口状態とされて、横中央線に対し対称形の縦型構造としたことによりモニタ筐体左右の何れの配置にも取付けを可能とした前記各項記載内容の原稿ホルダーである。
【００１１】
本発明の第５は、縦方向に配置した裏面ブラケットと表面パネルとを備えて双方を一端部で合体構成し、前記裏面ブラケットと表面パネルとの対向合体端近傍に配設された挟持部材の横断面形状が略Ｖ字型をしたゴム素材又はゴムと同等の弾力を有する素材で加工した前記各項記載内容の原稿ホルダーである。
【００１２】
本発明の第６は、縦方向に配置した裏面ブラケットと表面パネルとを備えて双方を一端部で合体構成し、前記表面パネルに透明性素材を用いると共に該表面パネルに筆記具保持部を備えて加工した前記各項記載内容の原稿ホルダーである。
【００１３】
本発明の第７は、縦方向に配置した裏面ブラケットと表面パネルとを備えて双方を一端部で合体構成し、前記裏面ブラケットにクリップ式ホルダーを備えてノート型への着脱を自在に行い得るようにした前記各項記載内容の原稿ホルダーである。
【００１４】
【発明の実施の形態】
さて、前記したように本原稿ホルダー１は、原稿の用紙端部を曲面状に挟持した際に、曲げ剛性が大きくなって原稿用紙が折れ曲り防止される物性効果を活用し、掲載すべき原稿の垂直端部を曲面挟持する構成を基本とした縦型原稿ホルダー１である。従って、特にモニタ筐体への取付けを前提とした縦型原稿ホルダー１の構造上の特徴から、従来の原稿保持具の課題を効果的に解消し得る。
即ち、従来の横型に対して本原稿ホルダー１は縦型で実現したことに伴い、予め複数枚の原稿を挟持した状態から、入力済みの１枚づつを抜取った場合にも２枚目以降が落脱することなく、且つ、モニタ左右の何れの取付け配置にも対応出来、更に、座高の低いノート型への取付けをも可能とした点等、優れた機能を備えた原稿ホルダーを提供する。
【００１５】
本特許願では、構成要部を理解し易くする為に同一図番中での各構成部分の名称（用語）について、同様な作用をする部分に関しては同様な名称や符号を用いて各図面中に記載し以下図面と共に説明する。
図１は、本発明の原稿ホルダー１をデスクトップ型モニタ４に取付けた使用状態の斜視図に関し、図１（ａ）は原稿ホルダー１をモニタ４の左垂直枠４ａに粘着テープ１０で取付け、筆記具保持部２には筆記具３を保持した状態の斜視図である。なお、本原稿ホルダー１では白矢印の横挿入口１２から原稿を挿入挟持し、上側の取出し方向１３に抜取る構成である。  そして、図１（ｂ）は前記図１（ａ）の原稿ホルダー１に複数枚の原稿５を挟持保持した使用状態を示し、同じく図１（ｃ）は原稿ホルダー１をモニタ４の右垂直枠４ｂに取付け、右側位置として複数枚の原稿５を挟持した使用状態を夫々示す。
【００１６】
先ず、本発明の原稿ホルダー１の主特徴は図１の使用状態の斜視図から既に明らかなように、特に、原稿端部を曲面状（湾曲状）に挟持する縦型構造とした結果、図示のように極めてコンパクト化が図れる点が最大の特徴である。
又、上下を対称形に構成した場合は作業者の好みやモニタの設置場所との都合等により上下を逆にするのみで図１（ｂ）、図１（ｃ）のようにモニタ左右何れの取付け配置にも対応可能な特徴がある。
そして、挟持掲示すべき原稿５が薄手柔軟性の用紙であっても、原稿ホルダー１を後述する実施例（図３参照）のように好適設計で実施した場合は、原稿端部が大きな曲げ剛性で安定保持されることにより他端や上下部が折れ曲がったりすることなく、更に、原稿５はモニタ画面の正面側に４０°位の丁度見易い角度でで折れ曲った状態に保持され、且つ、原稿５が任意の所望高さにモニタ画面と最近接して掲示されるので、入力行が大変見易い特徴がある。
【００１７】
次に、図２は前記図１（ｂ）における原稿ホルダー１への複数枚の原稿挟持状態を拡大表示すると共に、今、入力済み後の表の１枚目を取出し方向１３に抜取る状況を示したものである。即ち、本原稿ホルダー１は縦型構造としたことにより、原稿端が縦方向に配置にされた挟持部材９の複数の挟持舌片で縦方向に挟持される構造と関連して（図４参照）、本原稿ホルダー１では図２に示すように予め複数Ｎ枚の原稿挟持保持の状態から、入力用済みの表側の１枚目を引上げても後述する理由から、１枚目の引上げと同時に２枚目以降の原稿５が一緒に引き摺られることなく、又、抜け落ちないのが特徴である。
従って、本原稿ホルダー１を用いた場合は予め１０枚程度の原稿をセットした状態から入力済みの１枚づつを順次に取出せるので高効率で入力作業が行える大きな特徴がある。
【００１８】
本原稿ホルダー１は、前記図１、図２における第１実施例の各構成部や構成部品を示した図３の斜視図及び断面図の参照説明により構成内容や要点が一層明らかになる。図３（ａ）〜図３（ｃ）は３つの構成部品からなる第１実施例原稿ホルダー１における各部品単体、そして、図３（ｄ）は前記３つの構成部品で組立された原稿ホルダー１の第１実施例の外観斜視図、図３（ｅ）は図３（ｄ）におけるＡ−Ａ線断面図を夫々示したものである。即ち、図３（ａ）は裏面ブラケット７筐体、図３（ｂ）は原稿の挟持部材９、図３（ｃ）は表面パネル６単体に関し、３つの構成部品を各々拡大した斜視図である。又、図３（ｆ）〜図３（ｈ）は背面支持部材８と曲面ガイド部８ａ及び表面パネル６における曲面ガイド部６ａの加工形態を組合せた実施例であり、以下それらの図面を同時参照しつつ関連的に説明する。
【００１９】
最初に、本原稿ホルダー１では前記図２のように原稿を挟持した際、該挟持隅端部までの原稿記載内容を確実に読取れるようにするには、少なくとも、図３（ｃ）の表面パネル６をアクリル等の透明素材（クリア）で成型する必要がある。
上記理由から、原稿ホルダー１の内部が透けて見える素材で表面パネル６を加工することは機能上の都合と共に意匠的にもユニークなものとなる。表面パネル６を透明素材で加工した結果として、図３（ｄ）や図５の斜視図では組立った状態の原稿ホルダー１内部が図示のように透けて見える状態で表示してある。
【００２０】
さて、図３（ａ）の裏面ブラケット７にはブラケット底部７ａや原稿の背面支持部材８及び原稿５の曲面ガイド部８ａを備え、更に、本実施例では図３（ｃ）の表面パネル６端部に加工された接合凸部１１ｂと合体嵌合用の接合凹部１１ａが加工してある。一方、図３（ｂ）はＢ−Ｂ線断面図を下側に示すように断面形状が略Ｖ字型として弾性ゴムや所謂ポリエステル系熱可塑性エラストマー（ＴＰＥＥ樹脂）等の素材により、弾力を備えて外観が図示のように串歯状の５枚歯の挟持舌片９ａを備えた加工例の原稿用挟持部材９である。そして、図３（ｂ）の該挟持部材９に設けた粘着テープ１０で図３（ａ）のブラケット底部７ａに図３（ｄ）のように所定向きに貼り着する。
【００２１】
そこで、裏面ブラケット７の前記接合凹部１１ａに対して表面パネル６の接合凸部１１ｂを嵌め込み該端部で図３（ｄ）のように合体固着して原稿ホルダー１が出来上がる。そこで、図３（ｄ）のように組立たった状態の原稿ホルダー１におけるＡ−Ａ線断面を拡大図示したのが図３（ｅ）である。なお、表面パネル６の表端部には横断面が図３（ｅ）のよな円形で、縦断面が筒状（図４参照）の筆記具保持部２を設けた場合は、図１、図２に示したように該筆記具保持部２にメモ用の筆記具３を保持出来て大変便利である。
次に、本原稿ホルダー１の構成要部をなす背面支持部材８と曲面挟持部に関し図３（ｄ）〜図３（ｈ）を参照しつつ説明する。図３（ｄ）、図３（ｅ）の挿入口１２から背面支持部材８に押し当てるようにして挿入した原稿端部の裏表は曲面ガイド部８ａ、６ａの間隙間に両側から挟まれると共に、原稿背面が背面支持部材８に支持されて前記図２（図４参照）のように原稿端部が曲面状に挟持される。背面支持部材８や曲面ガイド部８ａ、６ａの幾つかの形状加工例を図３（ｆ）〜図３（ｈ）に示す。
【００２２】
図３（ｆ）は、前記第１実施例における背面支持部材８と曲面ガイド部８ａ、６ａの形状例を示したもので、図示のように背面支持部材８の表面側は切断面が直線状の面領域８ｂとして加工され、曲面ガイド部８ａ、６ａは各々曲率半径ｒで円弧状に加工した例である。図３（ｇ）は背面支持部材８における表面側の面領域８ｂに続く曲面ガイド部８ａを面状に加工した実施例である。又、図３（ｇ）の表面パネル６における曲面ガイド部６ａの他端部は破線で伸長ガイド部６ｂとして示すように、背面支持部材８と対向状に伸びた形体として加工しても目的は果せるが、曲面ガイド部６ａの他端を必要以上に長く形成すると原稿５が挿入し難くなる。図３（ｈ）は背面支持部材８における表面側を大きな曲率半径Ｒとして曲面ガイド部８ａを含め曲面状８ｃとした加工例である。又、図３（ｈ）における曲面ガイド部６ａは多面形に加工した実施例である。曲面ガイド部８ａ、６ａとしては何れの形状や組合せで加工した場合も発明目的が良好に果せ得る。
ちなみに、ここで図３に示した第１実施例における各部の寸法関係について記載すると、Ｈ：１２０ｍｍ、θ：略４０°、ｄ：１．５ｍｍ、Ｌ１：４５ｍｍ、Ｌ２：２５ｍｍ、Ｄ１：３０ｍｍ、Ｄ２：２２ｍｍである。
【００２３】
ところで、図４は前記第１実施例の原稿ホルダー１に原稿５が挟持された前記図２におけるＣ−Ｃ線の横断面及びＤ−Ｄ線における縦断面の拡大図である。前記図３（ｅ）及び図４（ａ）の断面図から明らかなように、原稿端部を挿入口１２から背面支持部材８に押し当てるように挿入した原稿５は、曲面ガイド部８ａ、６ａの両ガイドに挟まれて曲面状にされると共に挟持部材９の挟持舌片９ａで表面パネル６の内面に押圧挟持され、前記図４（ａ）に示すように曲面状に係止挟持される。この場合、前記実施例では原稿端部は２０ｍｍ程度が表面パネル６に挟持されることになるので表面パネル６は透明素材で加工することが望ましい。なお、挟持部材９を裏面ブラケット７側に配置して該挟持舌片９ａにより原稿５端部を表面パネル６の内面側に押圧挟持する構成は、原稿表面が挟持部材９で隠れない利点がある。
又、本原稿ホルダー１の表面パネル６を不透明素材で加工したり、原稿端を両側から挟持する構成で実施する場合は、表面パネル６の挟持寸法〔Ｌ２、図６（ｅ）、図６参照〕を充分小さくすればよい。
図４（ｂ）は、前記図２及び図４（ａ）において原稿及び筆記具保持部２に筆記具３が保持された状態のＤ−Ｄ線における縦断面状況を示している。前記したように本原稿ホルダー１の構造上の特徴の一つは上下を対称形体にしたことであるが、その構造特徴は図４（ｂ）の縦断面図からも明らかに理解し得るものと思われる。
【００２４】
図４（ｂ）は、原稿ホルダー１に前記図２のように複数Ｎ枚の原稿挟持状態から、今、表の１枚目を取出し方向１３に抜取る際の縦断面図を示している。図４（ｂ）の実施例では原稿５の端部を挟持部材９から５枚歯の挟持舌片９ａで表面パネル６の内面に押圧挟持している。
従って、図示のように複数Ｎ枚の原稿挟持状態から表面パネル６側に接した１枚目を取出し方向１３に抜取った場合、原稿端が複数箇所の挟持舌片９ａで表面パネル６内面に押圧挟持されていると共に、この場合、原稿５の挟持端が縦方向に曲面状に挟持されている相乗効果によって充分大きな挟持力で保持される結果、図４（ｂ）の状態から１枚目を取出し方向１３に取出した際は下記列記状況となる。
【００２５】
（１）挟持保持されたＮ枚の用紙５相互間には、用紙の摺動摩擦力が作用する。
（２）図４（ｂ）のように１枚目を取出し方向１３に引き上げた際、挟持舌片９ａが原稿から離間されることはなく、この場合、２枚目の用紙と表面パネル６の内面間に空隙は生じない。
（３）従って、図４（ｂ）に図示するように挟持保持されたＮ枚から１枚目の原稿を取出し方向１３に抜取る際、抜取られる１枚目から２枚目以降に及ぼす上向きの重力に抗した摩擦力が、複数の挟持舌片９ａからの挟持力によりＮ枚目から２枚目に及ぼす押圧挟持力に勝らない限り、この場合、２枚目以降の用紙が一緒に引き摺られることはなく、残りの原稿５は挟持保持されたままの状態である。
なお、前記図２の原稿挟持状態から原稿５を横方向に取出すことも勿論可能であるが、図４（ｂ）の縦一列の挟持状態から横方向に抜取った場合は２枚目以降の挟持原稿も一緒に引き摺られて抜け落ち易いのである。
【００２６】
以上第１実施例における基本構成の説明から、本発明の構成要点や特徴は充分明らかにされたものと思われるので、以下の実施例では重複説明を省略して要点を簡潔に記述する。
図５（ａ）は、第２実施例の外観斜視図を示し、この実施例では裏面ブラケット７と表面パネル６との端部を当初から一体に合体加工し、又、図示のように裏面ブラケット７の内部が仕切り塀７ｂを設けて区分けされると共に、裏面ブラケット７における挟持部材９を配置すべき３箇所のブラケット底部７ａが底抜け状態で開口加工してある。該ブラケット底部７ａの開口部から図５（ｂ）のように単体ブロック状に２枚歯の挟持舌片９ａを備えて加工した挟持部材９を用い、該底部に粘着テープ１０を用いて、前記ブラケット底部７ａの開口部から３箇所に貼り着した状態が図５（ａ）の第２実施例原稿ホルダー１である。
【００２７】
図６は、特に挟持部材９を変形して用いた第３実施例の原稿ホルダー１である。即ち、本実施例の挟持部材９は図示のように原稿に対する挟持部が挟持舌片９ａ以外に第２挟持舌片９ｂを備え、原稿５の挟持状態の横断面を図６（ｃ）に示すように原稿端部を両側から挟持するようにした実施例である。そして、本実施例構造は図６（ｃ）に示すように裏面ブラケット７と表面パネル６とを端部で一体加工すると共に上下方向の対向端部を開口部１４として加工し、該開口部１４から挟持部材９を挿入貼り着する。なお、図６（ａ）は両側の挟持舌片部９ａ、９ｂを対向状に配置した実施例、図６（ｂ）は両側の挟持舌片部９ａ、９ｂの各々が互い違いの順次配置にした実施例である。
【００２８】
さて、本原稿ホルダー１の背面支持部材８は図７のように構成実施した場合も目的を果し得る。この第４実施例原稿ホルダー１の裏面ブラケット７及び表面パネル６における曲面ガイド部８ａ、６ａや原稿の挟持部は前記各実施例と同様構成に基づくものであるが、本実施例の背面支持部材８は図示形体で、例えば、スチル製の棒材を折り曲げ加工し両端部を裏面ブラケット７に設けた差込み穴１５ａ、１５ｂに差込んで背面支持部材８とした実施例である。
【００２９】
更に、図８は変形した第５実施例の原稿ホルダー１である。即ち、本実施例原稿ホルダー１の原稿保持部としては、例えば、図８（ａ）に示す様な一般に実施されている所謂紙クリップ１６に対し、図８（ｂ）のようにプラスチックで加工したアタッチメント式背面支持部材１７を用いて、例えば、粘着テープ１０で図８（ｃ）のように紙クリップ１６をアタッチメント式背面支持部材１７に接合部１８で貼り合せて原稿ホルダー１とした実施例であり、前記実施例同様に発明の目的が果せる。
【００３０】
又、図９は原稿ホルダー１をノート型１９の上蓋２０に取付けた各実施例である。本発明の原稿ホルダー１は、前記図２に示したように端部一杯まで引上げ係止した場合も原稿５が折れ曲がることなく、所望の任意高さ位置に係止保持し得る利点がある。従って、該機能活用により座高の低いノート型１９の原稿保持用としても効果を発揮する。
図９（ａ）は、ノート型１９の上蓋２０に原稿ホルダー１の表面パネル６を直接粘着テープ等で取付けた場合の実施例、図９（ｂ）は原稿ホルダー１を着脱に便利なように、例えば、仲介部材２１として磁力吸着性のプレートを上蓋２０裏面の所望位置に取付ける一方、原稿ホルダー１の表面パネル６に磁石板を設け、両者を磁力吸着で着脱自在構成にしたものである。又、図９（ｃ）は接合用仲介部材２１を上蓋２０から側方に伸長し、図９（ｂ）の実施例におけると同様に原稿ホルダー１の裏面ブラケット７の裏側を仲介部材２１に着脱自在式とした実施例である。
【００３１】
更に、本原稿ホルダー１をノート型の上蓋２０に着脱自在構成とした第６実施例を図１０に示す。この第６実施例原稿ホルダー１ではノート型１９の上蓋２０への着脱に便利な構成として、裏面ブラケット７に対してクリップ式ホルダー２２を一体構成した図１０（ａ）のような実施例であり、クリップ式ホルダー２２のクリップ機構部の実施例を分離拡大して図１０（ｂ）に示す。即ち、クリップ機構部は裏面ブラケット７の裏面に設立した支点スタッド２４ａ、２４ｂ、及び挟み板２３に設立された支点スタッド２４ｃ、２４ｄ、スプリングスタッド２５ａ、２５ｂ、支点ピン２６ａ、２６ｂやスプリング２７を備えて構成された従来のクリップ機構と同様構造のものである。
図１０（ｃ）は、図１０（ａ）のようにクリップ式ホルダー２２が組立された挟み板２３の他端部を圧接して挟み板２３の挟持部を開き、ノート型１９の上蓋２０の所望位置にクリップ式ホルダー２２でクリップ取付けした状態である。又、図１０（ｂ）に示すクリップ機構は分離別体で加工した形体のものを裏面ブラケット７に固着して用いてもよい。
【００３２】
本発明の原稿ホルダー１は、下記のように実施した場合も良好に目的が果たせる。
（１）前記各実施例における原稿ホルダー１は別体型としてデスクトップモニタ筐体やノート型の上蓋に後付けした実施例について示したが、当初からモニタ筐体部に一体型にして組み込んで実施する場合も一層便利に目的が果せる。
（２）本原稿ホルダー１は、モニタ筐体への原稿の挟持掲示用に限ることなく、縦型は勿論、横方向配置として、例えば、壁部や各種ボードへの資料掲示用の原稿ホルダーとして用いた場合も前記機能効果を発揮し得る。
（３）原稿ホルダーの筐体は、プラスチックに限ることなくアルミ素材等のスチール素材で成型してもよい。
【００３３】
【発明の効果】
本発明の原稿ホルダー１は、特に、キーボードからの入力作業用原稿ホルダーとしてモニタ筐体に取付けて用いた場合は、下記に列記する多くの効果がある。
（１）本原稿ホルダーは、縦型構造にしたことと関連して挿入原稿の端部を曲面状として大きな曲げ剛性で挟持する構成とした結果、本質的にコンパクト化が実現出来、使用、不使用時の如何を問わず場所を取らない（邪魔にならない）。
（２）縦型原稿ホルダーの上下を対称形に構成したことで、モニタの左右何れの取り付け配置にも対応が可能である。
（３）原稿着脱操作が片手でワンタッチ操作で行い得、且つ、原稿がモニタ画面に最近接した見易い角度と高さ位置に掲示される。
（４）本縦型原稿ホルダーでは、特に、縦型配置の原稿挟持部と原稿端部の曲面挟持の相乗効果により、予め複数枚の原稿セット状態から入力済みの１枚づつが抜き取れるので、前記項記載内容と関連して入力作業が楽に高効率で行い得る。
（５）原稿を端部まで引上げた場合も折れ曲らずに掲示され、座高の低いノート型に適用の場合も原稿が机上で折曲ることなく原稿が見易い任意高さ位置に係止保持される。
（６）前記特許文献を含め従来の公知技術のように、折畳み機構や回動機構及びボードを必要とせず、機構部が簡単で原稿挟持部を含む全構成部品がプラスチック素材で金型成型により低コスト量産が可能である。
【図面の簡単な説明】
【図１】本発明の原稿ホルダーをモニタに取付けた使用状態の斜視図である。
【図２】原稿ホルダーの使用状態及び特徴の説明図である。
【図３】第１実施例原稿ホルダーの各構成部分の斜視図及び断面拡大図である。
【図４】原稿ホルダーに原稿が挟持された横及び縦断面拡大図である。
【図５】他実施例の挟持部材９を用いた第２実施例原稿ホルダーである。
【図６】他実施例の挟持部材９と第３実施例における原稿挟持状態の拡大断面図である。
【図７】背面支持部材を変形した第４実施例である。
【図８】紙クリップにアタッチメント式背面支持部材を取付けた第５実施例である。
【図９】本原稿ホルダーをノート型に取付けた各実施例である。
【図１０】クリップ式ホルダーを備え、ノート型へ着脱式とした第６実施例である。
【図１１】従来の実施例データスタンドである。
【符号の説明】
１…原稿ホルダー、２…筆記具保持部、３…筆記具、４…モニタ、４ａ…左垂直枠、４ｂ…右垂直枠、５…原稿、６…表面パネル、６ａ…曲面ガイド部、７…裏面ブラケット、７ａ…ブラケット底部、７ｂ…仕切り塀、８…背面支持部材、８ａ…曲面ガイド部、８ｂ…面領域、９…挟持部材、９ａ…挟持舌片、９ｂ…第２挟持舌片、１０…粘着テープ、１１…接合部、１２…挿入口、１３…取出し方向、１４…開口部、１５ａ、１５ｂ…差込み穴、１６…紙クリップ、１７…アタッチメント式背面支持部材、１８…接合部、１９…ノート型、２０…上蓋、２１…仲介部材、２２…クリップ式ホルダー、２３…挟み板、２４ａ、２４ｂ…支点スタッド、２５ａ、２５ｂ…スプリングスタッド、２６ａ、２６ｂ…支点ピン、２７…スプリング。
【図１】
2004248976.tif 000003
【図２】
2004248976.tif 000004
【図３】
2004248976.tif 000005
【図４】
2004248976.tif 000006
【図５】
2004248976.tif 000007
【図６】
2004248976.tif 000008
【図７】
2004248976.tif 000009
【図８】
2004248976.tif 000010
【図９】
2004248976.tif 000011
【図１０】
2004248976.tif 000012
【図１１】
2004248976.tif 000013